(57)【要約】【課題】被識別者が被撮像部位である顔面または顔の一部を撮像手段の合焦範囲内に容易にかつ確実に誘導することができる個人識別装置を提供する。【解決手段】眼の虹彩が撮像手段の合焦範囲内に位置するか否かを被識別者に認識させる認識手段２５を設ける。認識手段２５は、点光源２７と、この点光源２７と被識別者との間に位置し、被識別者の両眼が撮像手段の合焦範囲内に位置（Ｙ位置）するときにのみ被識別者から点光源２７を目視不能にし、それ以外の位置Ｘ，Ｚでは目視可能にする２つの遮光部２８，２８とで構成されている。Ｒ1 は点光源２７の照明領域、Ｒ2 は点光源２７の非照明領域、Ｗは適正虹彩領域である。【選択図】  図６
2006277730.tif 000002
【特許請求の範囲】
【請求項１】
被識別者の顔面または顔の一部を撮像手段によって撮像し、その画像情報と予め登録された人物の顔面または顔の一部の画像情報とを照合判定手段によって照合することにより、前記被識別者が前記人物であるか否かを識別する個人識別装置において、
前記顔面または顔の一部が前記撮像手段の合焦範囲内に位置することを被識別者に視認させる認識手段を備え、
前記認識手段は、点光源と、この点光源と被識別者との間に配置され、前記顔面または顔の一部が前記撮像手段の合焦範囲内に位置するときにのみ被識別者から前記点光源を目視不能または目視可能とし、それ以外の位置では反対に目視可能または目視不能とする遮光部材とで構成されていることを特徴とする個人識別装置。
【請求項２】
前記遮光部材は、顔の一部が前記撮像手段の合焦範囲内に位置するときにのみ被識別者から前記点光源を目視不能とし、それ以外の位置では反対に目視可能とする２つの遮光部を有することを特徴とする請求項１記載の個人識別装置。
【請求項３】
前記遮光部材は、顔の一部が前記撮像手段の合焦範囲内に位置するときにのみ被識別者から前記点光源を目視可能とし、それ以外の位置では反対に目視不能とする２つの透光部を有することを特徴とする請求項１記載の個人識別装置。
【請求項４】
本体ケースと、この本体ケースの上部に前後方向に角度調整可能に設けられた可動ケースとを備え、この可動ケース内に前記撮像手段、前記点光源および前記遮光部材が組み込まれていることを特徴とする請求項１〜３のうちのいずれか１つに記載の個人識別装置。
【請求項５】
被識別者の両眼を写すミラーを備えていることを特徴とする請求項１〜４のうちのいずれか１つに記載の個人識別装置。
【請求項６】
被識別者の顔の少なくとも一部が前記撮像手段の合焦範囲内に位置するときに、前記被識別者によって操作される取込みボタンをさらに備え、
前記取込みボタンが操作されたときに、前記撮像手段によって前記被識別者の顔の一部が撮像されることを特徴とする請求項１〜５のうちのいずれか１つに記載の個人識別装置。
【発明の詳細な説明】
【技術分野】
【０００１】
本発明は、被識別者の顔面または顔の一部を利用して被識別者を識別する個人識別装置に関するものである。
【背景技術】
【０００２】
近年、個人の識別を行うに当たって被識別者の指紋以外に、顔面や網膜あるいは虹彩（アイリス）の画像パターンを利用して識別する個人識別装置が各種開発されている（例えば、特許文献１〜４参照）。特に、人間の眼の虹彩は瞳孔の開き具合を調整する筋肉部分であり、その模様は指紋と同様に個々人固有のパターンをもっているために、偽造が事実上不可能であり、指紋よりも認識精度が高く、しかも非接触で識別することができるなどの利点を有していることから、最近では虹彩による個人識別装置が実用化されている。
【０００３】
このような虹彩を利用した個人識別装置においては、虹彩を撮像してその画像データを入力する撮像手段（例えば、カメラ、ビデオカメラ）と、撮像手段からの出力を処理する照合判定手段とを備えている。照合判定手段は、登録時に撮像手段によって撮影した登録パターン（基準パターン）と照合時に撮像手段によって撮影した照合パターン（入力パターン）とを所定の照合アルゴリズムに基づいて照合し、その結果を出力する。
【０００４】
個人識別装置の照合精度を高めるためには、撮像手段によって登録パターンと照合パターンとを同じ条件で撮影することが重要である。そのためには、被識別者が撮像手段に対して登録時と照合時と同じ位置にいることが理想である。
【０００５】
このため、前記特許文献１に記載された個人識別装置では、ズーム機構に連動して被識別者とビデオカメラとの間の距離を算出し、その距離に対応した強度の光を被識別者の眼に照射し、ビデオカメラで虹彩を撮像するようにしている。
【０００６】
前記特許文献２に記載された虹彩画像入力装置は、被識別者の虹彩を最適位置に誘導するための手段として、三次元画像を表示する立体視ディスプレイと、三次元オブジェクト生成手段とを設け、この三次元オブジェクト生成手段によって背景オブジェクトおよび最適位置オブジェクトを生成表示するとともに、被識別者の眼位置に基づいて眼位置オブジェクトを生成し、前記立体視ディスプレイに表示するようにしている。
【０００７】
虹彩の最適位置への誘導は、被識別者が自身の眼球を動かして立体視ディスプレイの表示画面に表示された眼位置オブジェクトが最適位置オブジェクトの中心と一致するように移動させることにより行われる。眼位置オブジェクトが最適位置オブジェクトと一致しているか否かは判断手段によってチェックされる。判断手段は眼位置オブジェクトと最適位置オブジェクトが一致しているときに抽出指示信号を送出し、この抽出指示信号に基づいて虹彩パターン抽出手段が両眼の虹彩パターンの抽出を行うようにしている。
【０００８】
【特許文献１】特開平１０−１３７２２０号公報
【特許文献２】特開２００１−２１５１０９号公報
【特許文献３】特公平５−８４１６６号公報
【特許文献４】特開平７−１１５５７２号公報
【発明の開示】
【発明が解決しようとする課題】
【０００９】
しかしながら、上記した特許文献１に開示された個人識別装置は、被識別者とビデオカメラとの距離を算出する距離算出部やズーム機構等を必要とするため装置自体が高価になるという問題があった。
【００１０】
特許文献２に開示された虹彩画像入力装置においても、三次元画像を表示する立体視ディスプレイや三次元オブジェクト生成手段を必要とするため、同じく装置自体が高価で大型化するという問題があった。
【００１１】
本発明は、上記した従来の問題を解決するためになされたものであり、その目的とするところは簡単な構造で安価な認識手段を用いることにより、被識別者が被撮像部位である顔面あるいは顔の一部を撮像手段の合焦範囲内に容易にかつ確実に誘導することができるようにした個人識別装置を提供することにある。
【課題を解決するための手段】
【００１２】
上記目的を達成するために第１の発明は、被識別者の顔面または顔の一部を撮像手段によって撮像し、その画像情報と予め登録された人物の顔面または顔の一部の画像情報とを照合判定手段によって照合することにより、前記被識別者が前記人物であるか否かを識別する個人識別装置において、前記顔面または顔の一部が前記撮像手段の合焦範囲内に位置することを被識別者に視認させる認識手段を備え、前記認識手段は、点光源と、この点光源と被識別者との間に配置され、前記顔面または顔の一部が前記撮像手段の合焦範囲内に位置するときにのみ被識別者から前記点光源を目視不能または目視可能とし、それ以外の位置では反対に目視可能または目視不能とする遮光部材とで構成されているものである。
【００１３】
第２の発明は、前記遮光部材が、顔の一部が前記撮像手段の合焦範囲内に位置するときにのみ被識別者から前記点光源を目視不能とし、それ以外の位置では反対に目視可能とする２つの遮光部を有するものである。
【００１４】
第３の発明は、前記遮光部材が、顔の一部が前記撮像手段の合焦範囲内に位置するときにのみ被識別者から前記点光源を目視可能とし、それ以外の位置では反対に目視不能とする２つの透光部を有するものである。
【００１５】
第４の発明は、本体ケースと、この本体ケースの上部に前後方向に角度調整可能に設けられた可動ケースとを備え、この可動ケース内に前記撮像手段、前記点光源および前記遮光部材が組み込まれているものである。
【００１６】
第５の発明は、被識別者の両眼を写すミラーを備えているものである。
【００１７】
第６の発明は、被識別者の顔の少なくとも一部が前記撮像手段の合焦範囲内に位置するときに、前記被識別者によって操作される取込みボタンをさらに備え、前記取込みボタンが操作されたときに、前記撮像手段によって前記被識別者の顔の一部が撮像されるものである。
【発明の効果】
【００１８】
第１の発明においては、遮光部材が被識別者の位置によって点光源が見えたり見えなくする。
【００１９】
２つの遮光部を有する遮光部材を備えた第２の発明においては、被識別者が点光源を正視した状態で顔を前後に移動させて点光源が遮光部の後に隠れて見えなくなったとき、撮像手段に対して顔面または顔の一部が合焦範囲内に位置したことを被識別者に認識させることができる。
一方、被識別者の顔面または顔の一部が合焦範囲より遠方にあるときは、２つの遮光部の間に点光源が見え、点光源に近づき過ぎると遮光部の外側に点光源が見えるので、合焦範囲から外れていることを被識別者に認識させることができる。
【００２０】
２つの透光部を有する遮光部材を備えた第３の発明においては、被識別者が点光源を正視した状態で顔を前後に移動させて点光源が透光部を通して見えるようになったとき、撮像手段に対して顔面または顔の一部が合焦範囲内に位置したことを被識別者に認識させることができる。
一方、被識別者の顔面または顔の一部が合焦範囲より遠方にあるときは、点光源が２つの透光部間の遮光部分に隠れて見ることができず、点光源に近づき過ぎると２つの透光部より外側の遮光部分に点光源が隠れて見ることができなくなるので、合焦範囲から外れていることを被識別者に認識させることができる。
【００２１】
第４の発明においては、可動ケースを前後方向に回動させることにより被識別者の顔に対して撮像手段を正対させることができる。
【００２２】
第５の発明においては、ミラーにより被識別者の両眼が最適位置に写っているか否かを認識させる。被識別者はミラーに両眼が適正に写るように顔を上下左右方向に動かし、適正に写ると上下左右方向の位置調整が適切に行われたことを認識する。ミラーとしては、全反射ミラー、ハーフミラーのいずれであってもよい。
【００２３】
第６の発明においては、取込みボタンを操作すると、撮像手段が被識別者の顔の一部を撮像する。
【発明を実施するための最良の形態】
【００２４】
以下、本発明を図面に示す実施の形態に基づいて詳細に説明する。
図１は本発明の第１の実施の形態を示す個人識別装置の分解斜視図、図２は同装置の正面図、図３は同装置の側面図、図４は透明板の背面図、図５は被識別者の撮像時の状態を説明する図、図６は遮光部による点光源の見え方の違いを説明する図、図７は合焦範囲と適正虹彩領域との関係を示す図、図８は個人識別装置の要部のブロック図である。本実施の形態においては、照合対象として、被識別者の眼の虹彩を撮像してその虹彩パターンと予め登録されている登録者の虹彩パターンとを照合して識別する個人識別装置に適用した例を示す。
【００２５】
図１〜図４において、全体を符号１で示す個人識別装置は、本装置を壁面に取付けて使用されることを前提として製作されており、高さ方向に配設された２つのケース、すなわち本体ケース２と、この本体ケース２の上に設けられた可動ケース３と、この可動ケース３の前面を覆い一部分を遮光することにより遮光部材として用いられる透明板４等を備えている。
【００２６】
前記本体ケース２は、縦長の薄箱型に形成されて内部には回路基板５と、虹彩照合時のモード状態を音声ガイドするスピーカ６、後述するＣＰＵ等が収納されている。前記回路基板５には、登録時に撮った登録パターンと照合時に撮像手段によって撮像された被識別者の虹彩パターンとを所定の照合アルゴリズムに基づいて照合し、その結果を出力する公知の照合判定手段（照合判定回路）が形成されている。
【００２７】
本体ケース２の上面板８は、前端側が後端側より低くなるように半径Ｒで凹状に湾曲しており、この上面板８の上方に前記可動ケース３を前後方向に回動可能に軸支する左右一対の支持部７，７の上端部が突出し、前記可動ケース３内に差し込まれている。前記支持部７は、図３に示すように脚部７Ａと、この脚部７Ａの上端に一体に設けた円板部７Ｂとで構成されている。
【００２８】
さらに、前記本体ケース２の一側面には、取込みボタン１０が設けられている。この取込みボタン１０は、被識別者の顔が適正虹彩領域Ｗ内に位置すると被識別者によって操作されるもので、被識別者が顔を動かすことなく操作できる範囲および位置に設けられている。被操作者が取込みボタン１０を操作すると、前記撮像手段１２は被識別者の顔の一部を撮像する。
【００２９】
前記可動ケース３は、側面視形状がＤ字型をなす左右方向に長いケースを構成している。このため、可動ケース３の前面は略垂直で、背面は前記本体ケース２の上面板８の曲率半径と略等しい半径で凸状に湾曲している。可動ケース３の内部には、被識別者の虹彩を撮像する２つの撮像手段１２，１２およびその照明用光源１３と、虹彩照合時のモード状態を色表示するモード表示用光源１４および回路基板１５等が組み込まれている。
【００３０】
前記可動ケース３の左右両側板の内面には、図３に示すように前記支持部７の脚部７Ａが挿入される扇形の溝１６と、前記円板部７Ｂが摺動可能に嵌め込まれる円形の凹陥部１７が形成されており、この凹陥部１７と円板部７Ｂとの間の摩擦力によって可動ケース３を任意の角度位置に係止し得るようにしている。可動ケース３の回動角度は、前面板３Ａが垂直な状態から後方側に例えば３０°、前方側に１０°程度に設定されている。
【００３１】
前記撮像手段１２としては、ＣＭＯＳ型イメージセンサやＣＣＤを受像素子として用いたデジタルカメラが用いられ、前記回路基板１５上に搭載されている。また、この撮像手段１２は、被識別者の眼の虹彩の撮像を可能にするために可動ケース３の前面板３Ａに形成した左右一対のカメラ用収納孔１９内にそれぞれ収納されており、その前面側にはフィルター２０が配設されている。図７において、撮像手段１２の合焦範囲は、３〜４ｃｍ程度である。
【００３２】
前記撮像手段１２の照明用光源１３としては、例えば近赤外ＬＥＤが用いられる。照明用光源１３の数は任意であるが、本実施の形態においては１つの撮像手段１２に対して４個ずつとし、各カメラ用収納孔１９の周りに形成した４個の照明光源用孔２１にそれぞれ収納した例を示している。
【００３３】
前記モード表示用光源１４としては、発光色を７色に切り替えることが可能なＬＥＤが用いられ、前記回路基板１５に実装されている。また、このモード表示用光源１４は、可動ケース３の前面板３Ａに形成したモード表示用孔２３内に前方から視認可能に収納されている。モード表示用孔２３は、前記前面板３Ａの左右方向中央でかつ上部に形成されている。
【００３４】
さらに、前記可動ケース３には、被識別者の眼の虹彩が撮像手段１２の合焦範囲内に存在するか否かを被識別者に認識させる認識手段２５とミラー２６が設けられている。
【００３５】
前記認識手段２５は、図６に示すように、点光源２７と、この点光源２７の前方でその両側に位置する２つの遮光部２８，２８とで構成されている。点光源２７としては大きさが１ｍｍ程度のＬＥＤが用いられ、前記回路基板１５に実装されている。また、この点光源２７は、前記可動ケース３の前面板３Ａに形成した点光源用孔２９内に配置されることにより、前記透明板４を通して前方からの視認が可能とされている。点光源用孔２９は、左右方向に長い長孔からなり、前記モード表示用孔２３の下方に形成されている。
【００３６】
前記ミラー２６は、被識別者の両眼の上下、左右方向の位置ずれを被識別者自身に認識させ、顔面を適正な位置に誘導するために用いられるものである。このため、ミラー２６は、被識別者の両眼が前記撮像手段１２の合焦範囲内にあるとき両眼が写る長さを有し、前記可動ケース３の前面板３Ａの中央に形成した左右方向に長いミラー用凹部３２に嵌め込み固定されている。ミラー用凹部３２は、前記点光源用孔２９の下方で、かつ２つのカメラ用収納孔１９，１９間に位置するように形成されている。
【００３７】
図４において、前記透明板４はアクリル樹脂等によって前記可動ケース３の前面と略同一の大きさに形成されており、遮光塗料３３の塗布によって遮光部３４が形成され、それ以外の部分が遮光処理されず透光部分Ａ1 〜Ａ5 をそれぞれ形成している。これらの透光部分Ａ1 〜Ａ5 は、可動ケース３の前面に形成されているカメラ用収納孔１９、照明光源用孔２１、モード表示用孔２３、点光源用孔２９およびミラー用凹部３２に対応する部分であり、それ以外の部分（斜線を施した部分）が遮光部３４である。遮光材料３３は透明板４の裏面側に限らず、表面側に塗布されるものであってもよい。
【００３８】
また、透明板４の点光源用孔２９に対応する透光部分Ａ4 については、前記２つの遮光部２８，２８が縦断して形成されている。これらの遮光部２８，２８は、被識別者の両眼を撮像手段１２の合焦範囲内で、かつ図６の位置Ｙで図７において斜線で示す領域（適正虹彩領域）Ｗに被識別者を誘導するためのものである。これをさらに詳述すると、点光源２７と被識別者の顔との間に２つの遮光部２８，２８を配置した状態で、被識別者が点光源２７を両眼で正視して顔を前後方向に移動させたとき、点光源２７と遮光部２８との距離Ｄｐ、遮光部２８の幅および２つの遮光部２８，２８の間隔により、図６の位置Ｘに示すように被識別者が点光源２７に対して遠いときは点光源２７の照明領域Ｒ1 内に両眼が位置するため点光源２７を視認することができる。
【００３９】
一方、図６の位置Ｙに示すように、被識別者が位置Ｘから点光源２７に対して一定距離近づくと、両眼が非照明領域Ｒ2 ，Ｒ2 内に移動するため点光源２７を視認することができなくなる。さらに、図６の位置Ｚに示すように、被識別者が位置Ｙから点光源２７にさらに近づくと両眼が非照明領域Ｒ2 ，Ｒ2 の外側に移動するため、点光源２７を視認することができるようになる。このような光学特性を利用して、撮像手段１２の焦点距離ｆ、合焦範囲に応じて遮光部２８自体の幅、２つの遮光部２８，２８の間隔、点光源２７から遮光部２８までの距離等を決定し、点光源２７が見えなくなる適正虹彩領域Ｗを図７に示すように撮像手段１２の合焦範囲内になるように設定する。
【００４０】
このようにしておくと、図６の位置Ｙに示すように、被識別者の両眼が合焦範囲内に移動して点光源２７が見えなくなると、両眼が撮像手段１２に対して適正虹彩領域Ｗに誘導されたことを被識別者に認識させることができる。これに対して、被識別者の両眼が図６の位置Ｘに示す位置、すなわち合焦範囲内より遠方に移動したときには、２つの遮光部２８，２８の間に点光源２７が見えるようになる。一方、両眼が図６の位置Ｚに示す点光源２７に近づき過ぎたときには、遮光部２８の外側に点光源２７が見えるようになるので、このときは両眼が撮像手段１２に対して適正虹彩領域Ｗからずれていることを被識別者自身に認識させることができる。なお、図７において、Ｄは遮光部２８から合焦範囲の中心までの距離である。
【００４１】
次に、このような構造からなる個人識別装置１による被識別者の識別動作について説明する。
識別に際して、被識別者は個人識別装置１の前に立って顔を可動ケース３に正対させ、点光源２７と被識別者の眼の高さを一致させる。このとき、可動ケース３が前方または後方に傾いていて顔と可動ケース３が正対しないときは、顔を上または下に向けて正対させるかまたは可動ケース３を手で前後方向に回動させて正対させる。
【００４２】
顔と可動ケース３が正対したか否か、上下、左右方向にずれているか否かは、両眼でミラー２６を見ることにより確認することができる。すなわち、両眼でミラー２６を見たとき、両眼がミラー２６の適正な位置に写っていれば、顔が可動ケース３に対して正対しており、上下、左右方向に位置ずれしていないことがわかる。一方、両眼が適正な位置に写っていないときは、適正に写るように顔を移動させるかまたは可動ケース３を回動させればよい。
【００４３】
次に、顔と可動ケース３が正対した状態を保ちつつ顔を前後に移動させることにより両眼を適正虹彩領域Ｗ内に位置するように移動させる。両眼が適正虹彩領域Ｗ内に移動すると、点光源２７が遮光部２８の影になって視認できなくなる。これによって被識別者は両眼が適正虹彩領域Ｗ内に移動したことを認識することができる。そして、両眼が適正虹彩領域Ｗ内に位置していることを確認すると、取込みボタン１０を手で操作する。
【００４４】
図８において、ＣＰＵ５０は、取込みボタン１０が操作されたことを検知すると、駆動信号を撮像手段１２に送出する。撮像手段１２は、ＣＰＵ５０からの駆動信号によって被識別者の虹彩を撮影し、その画像パターンを回路基板５上の照合判定回路に送出する。照合判定回路は、虹彩の画像パターンを受け取ると、予め登録してある登録パターンと所定の照合アルゴリズムに基づいて照合して被識別者の認証を行う。
【００４５】
ここで、本実施の形態においては、ＣＰＵ５０とは別に、回路基板５上に形成した照合判定回路で照合判定動作を行うようにしたが、図８に示すように、ＣＰＵ５０が照合判定回路５１の機能を備えるようにしてもよい。この場合、ＣＰＵ５０の照合判定回路５１は、メモリ５２に格納された判定プログラムと登録パターンにしたがって判定動作を行い、その結果を出力する。
【００４６】
このように、本発明においては認識手段２５を点光源２７と、２つの遮光部２８，２８とで構成したので、顔を前後に移動させて点光源２７が見えなくなると虹彩が適正虹彩領域Ｗ内に誘導されたことを被識別者に認識させることができる。このため、高価な回路や電子部品、ディスプレイ等を用いる必要がなく安価に製作することができる。また、点光源２７としてはＬＥＤを用いればよいので、１ｍｍ角程度の小さいものとすることができ、また２つの遮光部２８も塗装膜、フィルム等によって形成することができるため、格別なスペースを必要とせず、装置が大型化することもない。
【００４７】
また、被識別者はミラー２６を見ることにより両眼が適正に写っているか否かを知ることができるため、ミラー２６を見ながら顔を動かして上下、左右方向の位置ずれを補正することができる。
【００４８】
図９は本発明の第２の実施の形態を示す図である。
この実施の形態は、点光源２７と、２つの透光部４０，４０を有する遮光部材４１とで認識手段４２を構成した点が上記した第１の実施の形態における認識手段２５と異なっている。２つの透光部４０は、前記認識手段２５の２つの遮光部２８の代わりに設けられるもので、この透光部４０以外の部分が遮光部を形成している。遮光部材４１としては、不透明な部材に限らず透明な部材に遮光膜を形成したものであってもよい。
【００４９】
透光部４０は、遮光部材４１自体が不透明な材質の場合、孔（開口）によって形成される。一方、遮光部材４１が透明な材質の場合は、透光部４０となる部分を残し、それ以外の部分に遮光膜を形成すればよい。
【００５０】
被識別者の照合判定に際して、点光源２７と被識別者の顔との間に両眼の間隔よりも狭い２つの透光部４０，４０を有する遮光部材４１を配置して点光源２７を両眼で正視すると、透光部４０の幅、点光源２７と透光部４０との距離、透光部４０，４０の間隔によっては点光源２７が透光部４０を通して見えたり、見えなくなったりする。すなわち、図９の位置Ｘに示すように点光源２７から両眼が遠く離れているときには、点光源２７の照射領域Ｑ1 ，Ｑ2 より内側に位置するため、点光源２７が遮光部材４１の影となって見ることができなくなる。図９の位置Ｙに示すように点光源２７に両眼を近づけて点光源２７の照射領域Ｑ1 ，Ｑ2 内に移動すると、点光源２７を透光部４０，４０を通して視認することができる。そして、図９の位置Ｚに示すように両眼をさらに点光源２７に近づけると両眼が点光源２７の照射領域Ｑ1 ，Ｑ2 の外側に移動するため、点光源２７が遮光部材４１の影になって視認することができなくなる。そこで、点光源２７が視認できる適正虹彩領域Ｗ1 を撮像手段１２の合焦範囲内となるように透光部４０の幅、間隔、点光源２７からの距離等を決定する。これにより、上記した第１の実施の形態における認識手段２５と同様に被識別者の虹彩を適正虹彩領域Ｗ1 に誘導することができる。
【００５１】
このような認識手段４２においても、点光源２７と遮光部材４１を用いるだけでよいので、上記した第１の実施の形態と同様な効果が得られることは明らかであろう。
【００５２】
なお、本発明は上記した第１、第２の実施の形態に限定されることなく種々の変形、変更が可能である。例えば、撮像手段１２は２つに限らず１つであってもよい。この場合は、ミラー２６をハーフミラーとし、その背面側に撮像手段１２を配置すればよい。
また、遮光部材の遮光部２８は半透明なものであったり、適宜な色に着色されているものであったり、あるいは帯状以外の形状、例えば矩形や円形のものであってもよい。
また、点光源２７は常時点灯するものに限らず点滅するものであってもよい。
【産業上の利用可能性】
【００５３】
本発明は個人識別装置として、虹彩のパターンを利用して識別する装置に適用したが、これに限らず顔面の形状や網膜のパターンによって識別する装置にもそのまま適用することが可能である。
【図面の簡単な説明】
【００５４】
【図１】本発明の第１の実施の形態による個人識別装置の分解斜視図である。
【図２】同装置の正面図である。
【図３】同装置の側面図である。
【図４】透明板の背面図である。
【図５】被識別者の撮像状態を説明する図である。
【図６】遮光部による点光源の見え方の違いを説明する図である。
【図７】合焦範囲と適正虹彩領域との関係を示す図である。
【図８】個人識別装置の要部のブロック図である。
【図９】本発明の第２の実施の形態を示す図である。
【符号の説明】
【００５５】
１…個人識別装置、２…本体ケース、３…可動ケース、４…透明板、１０…取込みボタン、１２…撮像手段、２５…認識手段、２６…ミラー、２７…点光源、２８…遮光部、４０…透光部、４１…遮光部材、４２…認識手段、Ｗ、Ｗ1 …適正虹彩領域。
【図１】
2006277730.tif 000003
【図２】
2006277730.tif 000004
【図３】
2006277730.tif 000005
【図４】
2006277730.tif 000006
【図５】
2006277730.tif 000007
【図６】
2006277730.tif 000008
【図７】
2006277730.tif 000009
【図８】
2006277730.tif 000010
【図９】
2006277730.tif 000011